(57)【要約】【課題】電気掃除機において、集塵容器内の塵埃の剥離性を向上させ、使用勝手を向上する。【解決手段】粗い塵埃をろ過する網目状の一次フィルター３８と、前記一次フィルター３８を通過した細塵を捕集する二次フィルター４３を有し、前記一次フィルター３８または二次フィルター４３には、チタンを含浸／またはコーティングさせた構成としたものである。これにより、一次フィルターまたは二次フィルターの塵埃の剥離性が良くなり、手を使って塵埃を掻き出す必要もなく、使い勝手を向上した電気掃除機を提供できるようになる。【選択図】図３
2008023021.tif 000002
【特許請求の範囲】
【請求項１】
粗い塵埃をろ過する網目状の一次フィルターと、前記一次フィルターを通過した細塵を捕集する二次フィルターを有し、前記一次フィルターまたは二次フィルターには、チタンを含浸／またはコーティングしてなる電気掃除機。
【請求項２】
一次フィルター有する粗塵室には、塵埃排出用の開口部と、前記開口部を開閉自在に覆う蓋体と、前記粗塵室内に堆積した塵埃を掻き出す押し出し板を設け、前記押し出し板にチタンを含浸／またはコーティングしてなる請求項１に記載の電気掃除機。
【請求項３】
粗塵室の一次フィルター以外の側壁に、チタンを含浸／またはコーティングしてなる請求項１に記載の電気掃除機。
【発明の詳細な説明】
【技術分野】
【０００１】
本発明は電気掃除機本体に装着される、集塵容器を有する電気掃除機に関するものである。
【背景技術】
【０００２】
従来のこの種の電気掃除機としては、掃除機本体に着脱自在に装着されると共に塵埃を捕集する集塵容器を備え、その集塵容器に開閉自在の蓋を設け、その蓋を開けて集塵容器内に蓄積した塵埃を廃棄するようにしたものが有る（例えば、特許文献１参照）。
【特許文献１】特開２００４−１２１７２２号公報
【発明の開示】
【発明が解決しようとする課題】
【０００３】
しかしながら、上記のような電気掃除機の構成では、集塵容器内のごみがぎっしりと入った場合や、綿ごみや軽いごみの場合など、蓋を開いてもその塵埃が、フィルター部の表面に繊維質の塵埃が吸着して塵埃の吸引で早期に吸込性能が低下するという問題があった。また、集塵容器から塵埃が落ちることなく溜まる時があり、その時は、素手或いはお箸などでごみを引きずりださなければならず、不衛生で、且つ非常に手間がかかるという課題があった。
【０００４】
本発明は上記従来の課題を解決するものであって、集塵容器内の塵埃の塵離れ性を向上させ、ごみを廃棄できる、使用勝手の良い電気掃除機を提供する事を目的とする。
【課題を解決するための手段】
【０００５】
上記従来の課題を解決するために、本発明は、粗い塵埃をろ過する網目状の一次フィルターと、前記一次フィルターを通過した細塵を捕集する二次フィルターを有し、前記一次フィルターまたは二次フィルターには、チタンを含浸／またはコーティングをすることより、一次フィルターまたは二次フィルターの表面強度が向上すると同時に耐久性がよくなる。さらに、細かい粒子状のチタンを含浸／またはコーティングすることより一次フィルターまたは二次フィルターの表面の凹凸なくなり、一次フィルターまたは二次フィルターに付着した塵埃の剥離性が向上し、例えば、粗塵室に堆積した塵埃は一次フィルターに引っ掛かることなく廃棄されるようになる。
【発明の効果】
【０００６】
本発明の集塵容器は、粗塵室に堆積した塵埃を手で汚すことなく塵埃の剥離性を向上させ確実に塵埃を廃棄することができる。
【発明を実施するための最良の形態】
【０００７】
第１の発明は、粗い塵埃をろ過する網目状の一次フィルターと、前記一次フィルターを通過した細塵を捕集する二次フィルターを有し、前記一次フィルターまたは二次フィルターには、チタンを含浸／またはコーティングをしたもので、一次フィルターまたは二次フィルターの柔軟な繊維特性を残したまま表面の強度を向上させ、また、細かい粒子状のチタンを含浸／またはコーティングすることより、表面の凹凸を無くし剥離制の良い一次フィルターまたは二次フィルターとなる。
【０００８】
その結果、堆積した塵埃の剥離性が向上することにより、塵埃の除去が容易となり、塵埃の剥離性が高い分だけ使用者が一次フィルターより塵埃を取り除き易く作業が容易となり、メンテナンス性を向上させることができる。
【０００９】
第２の発明は、第１の発明の一次フィルター有する粗塵室には、塵埃排出用の開口部と、前記開口部を開閉自在に覆う蓋体と、前記粗塵室内に堆積した塵埃を掻き出す押し出し板を設け、前記押し出し板に細かい粒子状のチタンを含浸／またはコーティングをしたもので、表面の凹凸を無くし剥離制の良い押し出し板となる為、塵埃を、手を汚すことなく押し出し板で確実に押し出す事ができ、塵埃の剥離性が向上する。
【００１０】
第３の発明は、第１の発明の粗塵室の一次フィルター以外の側壁に、細かい粒子状のチタンを含浸／またはコーティングさせることより、粗塵室内の表面の強度を向上させ、また、表面の凹凸を無くし剥離制の良い粗塵室となる為、耐久性を向上すると同時に、粗塵室に堆積した塵埃の剥離性が向上する。
【００１１】
以下、本発明の実施の形態について、図面を参照しながら説明する。なお、この実施の形態によって本発明が限定されるものではない。
【００１２】
（実施の形態１）
本発明の第１の実施の形態における集塵容器及びそれを搭載した電気掃除機について、図１〜図６を用いて説明する。
【００１３】
図１は、本実施の形態における電気掃除機の全体斜視図、図２は同電気掃除機の断面図、図３は同集塵容器の断面図、図４は同集塵容器のダストボックス本体とフィルターユニットを示した斜視図、図５は同集塵容器の部分断面斜視図、図６は同集塵容器の斜視図（蓋が開いた状態）である。
【００１４】
図１、２において、掃除機本体１は、後部に電動送風機２を内蔵した電動送風機室３が配され、前部に、着脱自在で塵埃を分離捕集する集塵容器４を収納する集塵容器収納部５が配され、後方下部の両側に１対の走行用の車輪６が回転自在に取付けられ、底面前部には、同じく走行用のキャスター７が取付けられている。掃除機本体１の前部には、ホース８の一端に設けた接続パイプ９が着脱自在に接続される吸気口１０が設けられている。
【００１５】
ホース８の他端には、掃除の際に握る把手１１を備えた先端パイプ１２が設けられている。１３は伸縮自在或いは継ぎ自在の延長管で、下流側端部が前記先端パイプ１２に着脱自在に接続され、他端は、塵埃掻き揚げ用の回転ブラシ（図示せず）を内蔵した吸込み具１４に着脱自在に接続される。
【００１６】
１５は、弾性材料から成形され掃除機本体１の前部から両側にかけて延設されたバンパーで、掃除機本体１の走行時に家具、柱などに衝突してもそれらに傷を付けないようにするための物である。
【００１７】
１６は、掃除機本体１を持ち運ぶ際に立てて使用する本体ハンドルで、掃除機本体１の重心を通る垂直線上に回動中心が位置するように掃除機本体１の上部に回動自在に取付けられている。
【００１８】
図２において、１７は、集塵容器４の持ち運び用のダストボックスハンドルで、集塵容器４を持ち運ぶ時や、掃除機本体１の集塵容器収納部５から取り外す時に、ダストボックスハンドル１７が握れるようになる。掃除機本体１の外郭は、後方に電動送風機２を収納する電動送風機室３を形成した下ボデー１ａと上ボデー１ｂから構成されている。
【００１９】
電動送風機２の前部は、弾性体よりなるサポート前１８で、後部は、同じく弾性材料からなるサポートウシロ１９で、電動送風機室３内に支持されている。２０は、電動送風機室３と集塵容器収納部５とを仕切る隔壁で、略中央に電動送風機２の吸入開口２ａと連通する格子状の隔壁開口部２１が設けられ、その隔壁開口部２１は、集塵容器収納部５側から三次フィルター２２で覆われている。
【００２０】
集塵容器収納部５の後方下部には、図示しない機構により、電源コード２３が引き出し自在に設けられている。
【００２１】
次に集塵容器４の構成について図２〜６を用いて説明する。
【００２２】
図において、集塵容器４は、ダストボックス本体２４と、ダストボックス本体２４の後方開口部に着脱自在に装着されるフィルターユニット２５から構成されている。
【００２３】
最初に、吸込み具１４から空気と共に吸引された塵埃の捕集構成について述べる。ダストボックス本体２４の前部に集塵容器４を掃除機本体１の集塵容器収納部５に装着した時に、掃除機本体１の吸入口１０の後方に設けたパッキン２６に気密に圧接し連通する吸入口２７が設けられている。ダストボックス本体２４は、さらに、吸入口２７に直接連通すると共に粗塵を収納する粗塵室２８と粗塵室２８を通過した吸引風に含まれた細塵を捕集するフィルターユニット２５から離脱した細塵を収納する細塵室２９と、前記粗塵室２８、細塵室２９の下部開口３０を覆うと共に後方端部がダストボックス本体２４の回動自在に軸支された蓋体３１を備えている。蓋体３１は、ダストボックス本体２４に設けた尾錠３２で、その前部が閉じた状態に保持されており、ダストボックスハンドル１７の前部に設けた操作部３３を押すと、操作部３３と一体形成された凸部３４が、尾錠３２の平面部３５を押し尾錠３２を外方に移動し、蓋体３１が図６で示すよう開くようになっている。
【００２４】
粗塵室２８は、全周（４側壁）に下部開口部３０に広がる傾斜面３６を有し、開口３７を備え、前記開口３７に夫々の網目状の一次フィルター３８を有している。叉、粗塵室２８上部にフィルター３９を有した押し出し板４０を備え、前記押し出し板４０は、操作部３３の一端の係止部４１と連結されている。操作部３３を下方に操作することより、押し出し板４０を下方に移動させ、同時に、操作部３３と一体形成された凸部３４が、尾錠３２の平面部３５を押し尾錠３２を外方に移動し、蓋体３１を開く構成となっている。
【００２５】
フィルターユニット２５は、枠体４２と、プリーツ折りされ、そのプリーツ目を縦方向にして枠体４２に設けられた二次フィルター４３とからなっている。
【００２６】
フィルターユニット２５の枠体４２の下流側端部には全周に渡ってリップ４４が、一体叉は一体的に形成され集塵容器４を集塵容器収納部５に装着した時に、そのリップ４４が掃除機本体１の隔壁２０の集塵容器収納部５側の面に圧接され、電動送風機２の運転時に外気が吸引されないようになっている。
【００２７】
フィルターユニット２５の前面４５は、フィルターユニット２５をダストボックス本体２４に装着した時に、粗塵室２８の後方開口部４６を気密に覆うようになっている。また、粗塵室２８の夫々一次フィルター３８に細かい粒子状のチタンを含浸／またはコーティングされている。
【００２８】
上記構成による動作、作用は以下の通りである。
【００２９】
電気掃除機の使用開始に当たり、電動送風機２による吸引力が、三次フィルター２２、二次フィルター４３、一次フィルター３８およびフィルター３９を経て、粗塵室２８、ホース８、延長管１３を経て吸込み具１４に至る。そして、吸込み具１４から吸引された塵埃を含んだ空気が、掃除機本体１の吸入口１０を通ってダストボックス本体２４の吸入口２７から真っ直ぐ粗塵室２８に入り、一次フィルター３８及びフィルター３９に当たりそこで捕集され、堆積していく。一次フィルター３８およびフィルター３９を通過した空気に含まれる微細塵は、二次フィルター４３で捕捉される。
【００３０】
集塵容器４を集塵容器収納部５から取り外す時は、ダストボックスハンドル１７を握って集塵容器４を上方に持上げるだけで良い。
【００３１】
また塵埃を捨てる際、図３において、操作部３３を押すと、操作部３３と一体形成された凸部３４が、尾錠３２の平面部３５を押し、尾錠３２が外方に移動されると、蓋体３１との爪嵌合が外れ、蓋体３１が開く。この時、操作部３３と連結されている押し出し板４０が矢印Ａ方向に移動し粗塵室２８内に溜まった塵埃を掻きだす。
【００３２】
このとき一次フィルター３８に細かい粒子状のチタンを含浸／またはコーティングされている為、一次フィルター３８の表面が硬くなり耐久性が向上すると同時に、表面の凹凸が少なくなり、すべり効果が向上する。その結果、一次フィルター３８に付着しようとしている塵埃は、容易に剥離され塵埃の剥離性の良い集塵容器４となり、粗塵室２８に堆積した塵埃は、手で汚すことがなくなる。
【００３３】
このことより、一次フィルター３８の剥離性が高い分だけ使用者が一次フィルター３８より塵埃を取り除く作業が容易となり、メンテナンス性も向上させることができる。
【００３４】
また、図３において、粗塵室２８上部に具備された、押し出し板４０及び、フィルター３９に細かい粒子状のチタンを含浸／またはコーティングさせることより、フィルター３９の目詰りによる風量低下を抑制すると同時に、フィルター３９の表面の凹凸が少なくなり、すべり効果が向上しフィルター３９に付着しようとしている塵埃は、容易に剥離され塵埃の剥離性の良い集塵容器４が構成される。
【００３５】
さらに、図３において、フィルターユニット２５の、二次フィルター４３に細かい粒子状のチタンを含浸またはコーティングさせることより、二次フィルター４３の表面が硬くなり耐久性が向上すると同時に、表面の凹凸がなくなり、塵埃のすべり効果が向上し二次フィルター４３に付着しようとしている塵埃は、容易に剥離され塵離れが向上する。
【００３６】
また、二次フィルター４３の少なくとも吸気上流側４７に、細かい粒子状のチタンを含浸／またはコーティングさせることより、吸引風からの細塵が吸着し塵埃がたまりやすい箇所に、塵埃の剥離性の良い二次フィルター４３となる為、塵埃の除去が容易となる。
【００３７】
さらに、片側のみの細かい粒子状のチタンを含浸／またはコーティングとなる為、廉価にさせることが可能となる。
【００３８】
また、図３において、粗塵室２８は、全周（４側壁）の開口３７以外に、細かい粒子状のチタンを含浸／またはコーティングさせることより、粗塵室２８は、全周（４側壁）の表面が硬くなり耐久性が向上すると同時に、表面の凹凸がなくなり、粗塵室２８内に溜まった塵埃を掻きだす操作が容易となり、塵埃の塵離れが向上する。
【産業上の利用可能性】
【００３９】
以上のように、本発明にかかる電気掃除機の集塵容器は、集塵容器に形成された粗塵室に堆積した塵埃を手を汚すことなく容易に確実に排出する事ができるものであり、着脱自在の集塵容器を有する家庭用、業務用電気掃除機として有用である。
【図面の簡単な説明】
【００４０】
【図１】本発明の実施の形態１における電気掃除機の全体斜視図
【図２】同電気掃除機の断面図
【図３】同集塵容器の断面図
【図４】同集塵容器のダストボックス本体とフィルターユニットを示した斜視図
【図５】同集塵容器の部分断面斜視図
【図６】同集塵容器の斜視図（蓋が開いた状態）
【符号の説明】
【００４１】
２  電動送風機
４  集塵容器
２８  粗塵室
３０  開口部
３１  蓋体
３８  一次フィルター
４０  押し出し板
４３  二次フィルター
４７  吸気上流側
【図１】
2008023021.tif 000003
【図２】
2008023021.tif 000004
【図３】
2008023021.tif 000005
【図４】
2008023021.tif 000006
【図５】
2008023021.tif 000007
【図６】
2008023021.tif 000008